(57)【要約】【課題】  針金状作動片の加工を完了させた後に蓋本体に取り付けることを可能とする。【解決手段】  瓶１と、その口部を閉じる蓋本体２と、蓋本体２に取り付ける針金状作動部３と、瓶１に取り付ける、針金状作動部３を操作する針金状操作部４とで構成し、針金状作動部３は、その横棒部３ａを蓋本体２の上面の横断溝２ａに周方向回動自在に取り付け、針金状操作部４は、その両端の回動軸部４ａ、４ａを瓶１の首部１ａの軸孔部１ｂ、１ｂに回動自に取り付ける。針金状作動部３は、横棒部３ａと、その両側から垂下する側棒部３ｂ、３ｂと、両側棒部３ｂ、３ｂの下端の係止棒部３ｃとで構成し、針金状操作部４は、両端の回動軸部４ａと、両回動軸部４ａ、４ａから垂下する側腕部４ｂ、４ｂと、両側腕部４ｂ、４ｂの下部を捩って形成した環状係止部４ｃ、４ｃと、両環状係止部４ｃ、４ｃの末端間を連結する操作摘み部４ｄとで構成した。【選択図】  図１
0003123514.tif 000002
【実用新案登録請求の範囲】
【請求項１】
横棒部と、該横棒部の両側から垂下する二つの側棒部と、該両側棒部の下端を相互にその端面が対面状態になるように折曲して形成した係止棒部とで針金状作動部を構成し、該針金状作動部の横棒部を、蓋本体の上部にその中央部を通過する位置関係で周方向回動自在に取り付け、他方、端部を相互に対面状態にした両端の回動軸部と、該両回動軸部から垂下する側腕部と、該両側腕部の下部を捩って形成した環状係止部と、該両環状係止部の末端間を連結する操作摘み部とで針金状操作部を構成し、該針金状操作部の両端の回動軸部を、瓶の首部に周方向１８０度の角度間隔で開口した二つの軸孔部であって、該瓶の口部に被覆した前記蓋本体から垂下する前記側棒部の下端より上方の部位に形成した軸孔部に各々回動自在に挿入し、かつ前記軸孔部の方向と前記横棒部の蓋本体への取り付け方向とが平行になるように該蓋本体を該瓶の口部に被覆した状態で、前記両環状係止部を、該両側棒部の下端の係止棒部にそれぞれ外装した瓶の蓋に於いて、
前記横棒部の蓋本体の上部中央部を通過する位置関係に於ける周方向回動自在の取り付けを、該蓋本体の上面にその中央部を通過する横断溝を形成し、該横断溝に該横棒部を周方向回動自在に装入することで構成した瓶の蓋。
【請求項２】
前記横断溝を、その溝底部側を前記横棒部の径に対応させた寸法形状に設定し、それより溝開口部側を該径の寸法より小寸法の幅に設定した請求項１の瓶の蓋。
【請求項３】
前記蓋本体の上面に前記横断溝を被覆するカバーシートを配した請求項１又は２の瓶の蓋。
【考案の詳細な説明】
【技術分野】
【０００１】
本考案は、瓶に取り付け、その口部の開閉を繰り返すことが可能な瓶の蓋に関するものであり、詳しくは、
針金状作動部の横棒部を、蓋本体上部にその中央部を通過する位置関係で貫通させた横孔に周方向回動自在に挿入し、かつ該横棒部の両側から各々側棒部を垂下させ、該両側棒部の下端に相互にその端面が対面状態になるように折曲した係止棒部を形成し、
他方、端部を相互に対面状態にした両端の回動軸部と、該両回動軸部から垂下する側腕部と、該両側腕部の下部を捩って形成した環状係止部と、該両環状係止部を繋ぐ操作摘み部とで針金状操作部を構成し、
該針金状操作部の両端の回動軸部を、瓶の首部に周方向１８０度の角度間隔で形成した二つの軸孔部であって、該瓶の口部に被覆した場合の前記蓋本体から垂下する前記側棒部の下端より上方の部位に形成した軸孔部に各々回動自在に挿入し、
かつ前記軸孔部の方向と前記横棒部の蓋本体への取り付け方向とが平行になるように該蓋本体を該瓶の口部に被覆した状態で、前記両環状係止部を、該両側棒部の下端の係止棒部にそれぞれ外装係止した瓶の蓋に関するものである。
【背景技術】
【０００２】
この種の瓶の蓋は、従来より、前記横棒部を、蓋本体の上部に中央部を通過する位置関係で形成した横孔に挿入して取り付けるものであるため、これを取り付ける都合上、該横棒部の両側には、取り付け前に予め前記側棒部及びその下端の係止棒部のいずれも形成しておくことができず、これらは蓋本体への取り付けの後に加工しなければならないことになる。またその曲げ加工の時点では加工油の付着が必要となるが、蓋本体が概ねプラスチック製品であるため、上記のようにして付着した加工油の除去が困難である問題がある。
【０００３】
そしてこのような加工油が針金状作動部に残存すると、瓶の内容物に僅かでもそれらが混入する虞もある。そのため、瓶の内容物との関係により、衛生上や安全上の問題が生じる虞がある。
【０００４】
なお、この種の瓶の蓋について調査したが、関連する物は見いだせなかった。敢えて挙げると、携帯飲料容器(特許文献１）、液体容器の栓（特許文献２）、果実酒用の瓶（特許文献３）、液体容器の蓋ヒンジ部のロック装置（特許文献４）、液体容器の蓋ヒンジ構造（特許文献５）等があるが、いずれも構成が全く異なる。
【０００５】
【特許文献１】特開２００３−３２７２６５号公開公報
【特許文献２】特開２００３−１５５０５７号公開公報
【特許文献３】特開２００２−１４５３０１号公開公報
【特許文献４】特開平１０−０１４７８４号公開公報
【特許文献５】特開２０００−０７０１３８号公開公報
【考案の開示】
【考案が解決しようとする課題】
【０００６】
本考案は、以上に述べた従来技術の問題点を解決し、前記横棒部を含む前記針金状作動部の加工を完了させた後に蓋本体に取り付けることが可能なこの種の瓶の蓋を提供することを解決の課題とする。
【課題を解決するための手段】
【０００７】
本考案の１は、横棒部と、該横棒部の両側から垂下する二つの側棒部と、該両側棒部の下端を相互にその端面が対面状態になるように折曲して形成した係止棒部とで針金状作動部を構成し、該針金状作動部の横棒部を、蓋本体の上部にその中央部を通過する位置関係で周方向回動自在に取り付け、他方、端部を相互に対面状態にした両端の回動軸部と、該両回動軸部から垂下する側腕部と、該両側腕部の下部を捩って形成した環状係止部と、該両環状係止部の末端間を連結する操作摘み部とで針金状操作部を構成し、該針金状操作部の両端の回動軸部を、瓶の首部に周方向１８０度の角度間隔で開口した二つの軸孔部であって、該瓶の口部に被覆した前記蓋本体から垂下する前記側棒部の下端より上方の部位に形成した軸孔部に各々回動自在に挿入し、かつ前記軸孔部の方向と前記横棒部の蓋本体への取り付け方向とが平行になるように該蓋本体を該瓶の口部に被覆した状態で、前記両環状係止部を該両側棒部の下端の係止棒部にそれぞれ外装した瓶の蓋に於いて、
前記横棒部の蓋本体の上部中央部を通過する位置関係に於ける周方向回動自在の取り付けを、該蓋本体の上面にその中央部を通過する横断溝を形成し、該横断溝に該横棒部を周方向回動自在に装入することで構成した瓶の蓋である。
【０００８】
本考案の２は、本考案の１の瓶の蓋に於いて、前記横断溝を、その溝底部側を前記横棒部の径に対応させた寸法形状に設定し、それより溝開口部側を該径の寸法より小寸法の幅に設定したものである。
【０００９】
本考案の３は、本考案の１又は２の瓶の蓋に於いて、前記蓋本体の上面に前記横断溝を被覆するカバーシートを配したものである。
【考案の効果】
【００１０】
本考案の１の瓶の蓋によれば、予め前記針金状作動部を折曲成形しておいた上で、その横棒部を蓋本体の横断溝に挿入することが可能である。それ故、折曲成形後の針金状作動部の脱脂を予め十分に行っておくことが可能であり、加工油の付着のないそれを取り付けることができ、安全なものとすることができる。
【００１１】
本考案の２の瓶の蓋によれば、針金状作動部の横棒部は、その径より狭い幅の溝開口部からその弾力性を利用して横断溝中に挿入することが可能でありながら、挿入後は、溝開口部の幅の狭さ故に、特別の処置をしなくても、該横断溝からこれが抜け出る虞がない。
【００１２】
本考案の３の瓶の蓋によれば、横断溝の上面をカバーシートで被覆するものであるため、外観的に違和感を感じなくて済むこととなる。またこのカバーシートを利用して内容物の商標を表示すること等が可能となる。
【考案を実施するための最良の形態】
【００１３】
以下、本考案の実施の形態を、実施例に基づいて添付図面を参照しながら詳細に説明する。
【００１４】
この実施例の瓶の蓋は、図１〜図５に示すように、基本的に、対象の瓶１と、その口部を閉じる蓋本体２と、該蓋本体２に取り付ける針金状作動部３と、該瓶１の首部１ａに回動自在に取り付け、該針金状作動部３を操作する針金状操作部４とで構成し、前記針金状作動部３の横棒部３ａを前記蓋本体２の上面に構成した横断溝２ａに周方向回動自在に取り付けたものである。
【００１５】
前記瓶１は、ガラス製のそれであり、特定の用途や形状に限定されない。この実施例では、調理用の種々の液体用のガラス製の瓶を対象とした。この瓶１の首部１ａには、図１及び図２に示すように、この口部に蓋本体２を被せた状態で、前記針金状作動部３の後述する側棒部３ｂ、３ｂを垂下させた場合の、その下端部より高い部位、この実施例では、その側棒部３ｂ、３ｂの高さ方向の約１／２の高さの部位に、二つの軸孔部１ｂ、１ｂを開口しておくものとする。なおこの軸孔部１ｂ、１ｂは、該瓶１の首部１ａに周方向１８０度の角度間隔で開口し、相互の軸心が直線に並ぶように形成する。
【００１６】
前記蓋本体２は、若干弾力性を有するプラスチック製のそれであり、その基本形状は従来一般に用いられるそれである。上部には、上面に開口する横断溝２ａを形成したものである。該横断溝２ａは、図３に示すように、前記蓋本体２の中央部を横切る位置関係で構成し、特に図５に示すように、その溝底部を、前記針金状作動部３の横棒部３ａの径を僅かに越える径の円筒状に形成し、これより上方の溝開口部側を該横棒部３ａの径より小寸法の幅に形成したものである。
【００１７】
該蓋本体２の上面には、周縁部を除いて僅かに掘り下げた円形凹部２ｂが形成してあり、後述するように、この円形凹部２ｂには、特に図３及び図５に示すように、カバーシート５を貼付できるようになっている。
【００１８】
また該蓋本体２の下部には、図５に示すように、前記瓶１の首部１ａの上部開口である口部を閉じる円筒部２ｃが形成してあり、その天井部には、該瓶１の口部を密に閉じるためのパッド２ｄが配してある。
【００１９】
前記針金状作動部３は、図１〜図３に示すように、一般のこの種の瓶の蓋のそれと同様の素材からなる針金を折曲加工して構成するものであり、前記蓋本体２の直径を僅かに越える長さ寸法の横棒部３ａと、該横棒部３ａの両側から垂下する二つの側棒部３ｂ、３ｂと、該両側棒部３ｂ、３ｂの下端を相互にその端面が対面状態になるように折曲して形成した係止棒部３ｃ、３ｃとで構成したものである。
【００２０】
また前記針金状操作部４は、図１〜図３に示すように、これもまた一般のこの種の瓶の蓋のそれと同様の素材からなる針金を折曲加工して構成するものであり、端部を相互に対面状態にした両端の回動軸部４ａ、４ａと、該両回動軸部４ａ、４ａから垂下する側腕部４ｂ、４ｂと、該両側腕部４ｂ、４ｂの下部を、ほぼ１ターン分、ねじりコイルバネ状に捩って形成した環状係止部４ｃ、４ｃと、該両環状係止部４ｃ、４ｃの末端間を連結する操作摘み部４ｄとで構成したものである。
【００２１】
前記回動軸部４ａ、４ａは、その間隔を、図１及び図３に示すように、それぞれを前記瓶１の首部１ａの軸孔部１ｂ、１ｂに挿入した時の間隔に構成する。
また前記両側腕部４ｂ、４ｂの長さは、このように、該回動軸部４ａ、４ａを瓶１の首部１ａの軸孔部１ｂ、１ｂに挿入した状態で、該瓶１の口部に被せた蓋本体２から垂下する側棒部３ｂ、３ｂ下端の係止棒部３ｃ、３ｃに、前記環状係止部４ｃ、４ｃが外装可能な寸法に設定する。
【００２２】
以上の蓋本体２の横断溝２ａに、その弾力性を利用して、前記針金状作動部３の横棒部３ａを上面側から装入し、図１等に示すように、両側から側棒部３ｂ、３ｂを垂下させるようにする。該横棒部３ａは、この状態で、蓋本体２の横断溝２ａに周方向回動自在に保持された状態になる。該蓋本体２の上面の円形凹部２ｂには、カバーシート５を接着剤を介して貼着固定する。該カバーシート５の表面には瓶１の内容物を表示する文字図形等を記載し、或いは描くことができる。
【００２３】
他方、図１等に示すように、瓶１の首部１ａの周側に開口した軸孔部１ｂ、１ｂに前記針金状操作部４の回動軸部４ａ、４ａを挿入する。該回動軸部４ａ、４ａは、各々プラスチック製の緩衝管４ｅを介して該軸孔部１ｂに回動自在に挿入する。また前記環状係止部４ｃ、４ｃには、各々前記針金状作動部３の係止棒部３ｃ、３ｃを回動自在な状態に挿入する。
【００２４】
従ってこの実施例の瓶の蓋によれば、予め前記針金状作動部３を折曲して成形しておき、全ての成形を完了させた上で、その横棒部３ａを蓋本体２の横断溝２ａに装入することが可能であり、またそうするものである。それ故、折曲成形後の針金状作動部３の脱脂を予め十分に行っておくことが可能であり、加工油の付着のないそれを取り付けることができ、安全な物とすることができる。
【００２５】
蓋本体２の上面に開口する横断溝２ａは、前記のように、カバーシート５をその円形凹部２ｂに貼着することで、その露出部分が殆どなくなり、溝が見える違和感を解消することもできる。
【００２６】
また蓋の開閉は、従来のこの種の瓶の蓋と全く同様に行われるものであり、蓋を開ける場合は、図４(a)に示すように、蓋本体２が瓶１の口部に被さり、固定された状態から、図４(b)に示すように、操作摘み部４ｄを引き上げると、針金状作動部３の側棒部３ｂ、３ｂの下端がデッドポイントを過ぎて、該操作摘み部４ｄ側への動きが自由になる。そのため、図４(c)に示すように、蓋本体２を瓶１の口部から容易に取り外すことができる。
【００２７】
蓋を閉じる場合は、図４(c)の状態から、図４(b)に示すように、蓋本体２を瓶１の口部に載せ、図４(a)に示すように、前記操作摘み部４ｄを下降させ、針金状作動部３の側棒部３ｂ、３ｂの下端をデッドポイントを越えて反対側に移動させる。該側棒部３ｂ、３ｂは、該操作摘み部４ｄが瓶１の周側に当接するため、これ以上移動できず、蓋本体２を瓶１の口部に固定状態にする。
【図面の簡単な説明】
【００２８】
【図１】実施例の瓶の蓋の閉じた状態の正面図。
【図２】実施例の瓶の蓋の閉じた状態の右側面図。
【図３】実施例の瓶の蓋の閉じた状態の平面図。
【図４】(a)は実施例の瓶の蓋の閉じた状態の右側面図、(b)は開放途中の実施例の瓶の蓋の右側面図、(c)は開放した状態の実施例の瓶の蓋の右側面図。
【図５】蓋本体部分の縦断面拡大図。
【符号の説明】
【００２９】
１    瓶
１ａ  首部
１ｂ  軸孔部
２    蓋本体
２ａ  横断溝
２ｂ  円形凹部
２ｃ  円筒部
２ｄ  パッド
３    針金状作動部
３ａ  横棒部
３ｂ  側棒部
３ｃ  係止棒部
４    針金状操作部
４ａ  回動軸部
４ｂ  側腕部
４ｃ  環状係止部
４ｄ  操作摘み部
４ｅ  緩衝管
５    カバーシート
【図１】
0003123514.tif 000003
【図２】
0003123514.tif 000004
【図３】
0003123514.tif 000005
【図４】
0003123514.tif 000006
【図５】
0003123514.tif 000007